(57)【要約】【課題】  グラウンド等の対象面に、簡単に等幅線を描くことを可能にするとともに、等幅線の線条を正確にかつ能率良く描けるようにする。【解決手段】  グラウンド等を対象面として、そこにコースライン等の等幅線を引くためのライン引き補助装置である。ライン引き補助装置１０は、コースラインを横切る方向に渡される細長い形態を有し、かつ対象面Ｇにラインを引く描線部２０を所定幅毎に設けた本体１１と、本体１１を支えて移動可能とするための車輪３０とを有し、本体１１を移動させる操作用具３４や、円運動のためにその中心に向かって本体１１より引き伸ばされる延伸用具３５の取り付け部３３、３６を本体１１に設けた構成を有している。【選択図】          図１
2005152135.tif 000002
【特許請求の範囲】
【請求項１】
グラウンド等を対象面として、そこにコースライン等の等幅線を引くためのライン引き補助装置であって、コースラインを横切る方向に渡される細長い形態を有し、かつ対象面にラインを引く描線部を所定幅毎に設けた本体と、本体を支えて移動可能とするための車輪とを有し、本体を移動させる操作用具や、円運動のためにその中心に向かって本体より引き伸ばされる延伸用具の取り付け部を本体に設けて成るライン引き補助装置。
【請求項２】
描線部は、コース幅に応じて取り付け位置を変更可能なように本体に設けられている請求項１記載のライン引き補助装置。
【請求項３】
描線毎に、本体にコース幅などを示すための数字が表示されている請求項１記載のライン引き補助装置。
【請求項４】
描線部は、先端が対象面に押し付けられるようにばね付勢されている請求項１記載のライン引き補助装置。
【請求項５】
本体には、コース幅の相違を示す色分け表示が設けられている請求項１記載のライン引き補助装置。
【請求項６】
本体は複数部分を結合することにより、複数分の１に折り畳み可能かつ結合部に補助具を取り付けて一直線上に伸展可能であるように構成されている請求項１記載のライン引き補助装置。
【発明の詳細な説明】
【技術分野】
【０００１】
本発明は、グラウンド等の対象面にコースライン等の等幅線を引くためのライン引き補助装置に関するものである。
【背景技術】
【０００２】
校庭やグラウンドなどに、トラックコース等の等幅線を引く場合、従来はいわゆるラインカーなどと呼ばれる器具によって、石灰を用いて直接白線を引いて来た。しかし、直線はともかく、曲線を正確に引くのは困難であり、多くの場合長いロープの一端を円の中心に置き、他の一端に棒を取り付け、長いロープを半径として、棒でグラウンド等に円を引き、その後にラインカーで白線を描く作業を行っている。このためコースの設営に何人もの人員と、相当の時間を必要とし、しかも熟練しなければきれいなライン引きはできないという問題があった。
【０００３】
先行技術としては、実開昭６１−２０００８７号のように横棒の下にツメを取り付けたものや、特開平８−７９３号のものがある。前者の場合、グラウンド整備用のいわゆるトンボと同じ構造を有するだけであるから、直線にしても曲線にしても引く人の技量に頼ることになる。後者については３輪の台車を有するフレームにアームを設け、その両端にけがき棒を設けた構成を有するので、前者より曲線を描きやすくなると考えられるが、１回で２本線を引き得るだけである。また、左右非対称の３輪台車のため曲線の向きを間違えると著しく使いにくくなると思われる。
【０００４】
【特許文献１】実開昭６１−２０００８７号
【特許文献２】特開平８−７９３号
【発明の開示】
【発明が解決しようとする課題】
【０００５】
本発明は前記の点に着目してなされたもので、その課題は、グラウンド等の対象面に、簡単に等幅線を描くことを可能にする装置を提供することである。また本発明の他の課題は、等幅線の線条を正確にかつ能率良く描けるようにすることである。
【課題を解決するための手段】
【０００６】
前記の課題を解決するため、本発明は、グラウンド等を対象面として、そこにコースライン等の等幅線を引くためのライン引き補助装置について、コースラインを横切る方向に渡される細長い形態を有し、かつ対象面にラインを引く描線部を所定幅毎に設けた本体
と、本体を支えて移動可能とするための車輪とを有し、本体を移動させる操作用具や、円運動のためにその中心に向かって本体より引き伸ばされる延伸用具の取り付け部を本体に設けるという手段を講じたものである。
【０００７】
本発明のライン引き補助装置は、ラインを引くため等幅線の線条をグラウンド等の対象面に引くことを目的とする。従って、最終的には対象面に引かれた線条をなぞって、ラインカーなどにより実際の線を引くことになる。等幅線の線条は、その意味で、一種のけがき線である。また、目的とする線条は、幅の等しい線つまり等幅線であり、等幅線には等幅曲線も等幅直線も含まれるが、曲線においてより顕著な効果を期待できよう。
【０００８】
この装置は細長い形態を有する本体を有しており、それがコースラインを横切る方向に渡されるので、コースラインの全幅に対応した全長の本体とすることにより、全コース分の線条を一時に引くことができる。この本体には、ラインを引くための描線部がコース幅などの所定幅毎に設けられる。描線部は、例えば地面を引っ掛いて線条を形成することができる金属製の棒材の形態や、線条を刻み込むようなナイフ状の形態、或いは対象面に着色マークを付けて行く形態などを取り得るし、またこれらを、随時選択できるようにしても良い。
【０００９】
描線部は、コース幅に応じて、取り付け位置を変更可能なように本体に設けることができる。また描線部は、先端が対象面に押し付けられるように、ばね付勢されていることが望ましい。ばね付勢により描線部はより強い力で対象面に押し付けられ、より明瞭な線条を引けることとなる。描線部毎に、コース幅などを示す数字を本体に表示することができる。さらに描線部毎に、本体にはコース幅の相違を示す色分け表示を設け、描線部の取り付け位置を誤らないようにすることが望ましい。
【００１０】
上記の本体には、本体の移動手段として車輪が備わっている。車輪は、本体に直に取り付けられたものでも良いし、また本体とは別構造の台車の形態を取っていても良い。車輪それ自体は、戸車のような固定式のものよりも、車輪軸に対して定められた角度の軸周りを自由に旋回する車輪として知られているキャスター輪を使用する方が安定した方向性により好ましい結果を得ることができる。また台車の形態を取る場合、本体に対して着脱可能な構造とすることができる。
【００１１】
本体には、ライン引きのために本体を移動させ、或いは本体を円運動させるために本体より円の中心に向かって引き伸ばされ、円の半径となって移動する操作部材の取り付けのための取り付け部が設けられている。取り付け部は、操作部材の取り付けが可能な形態、例えば紐類を結び付けるための穴や、突起、フック状などの形態を取り得る。
【００１２】
本体は複数部分を結合した構造とし、これを折り畳み可能とすることにより、複数分の１に縮小し、保管上場所を取らないようにするとともに、使用時には、伸展させ、結合部に補助具を取り付けて、本体を一直線状に保つものであるように構成することができる。しかしながら学校や運動施設に備え付けの体育、運動用具にはポールや棹類、平均台等長尺なものも少なくないので、折り畳みのできない構造であってもそれほど問題とはならない。
【発明の効果】
【００１３】
本発明は上記のように構成され、かつ作用するものであるから、グラウンド等の対象面に、等幅線を描くことを可能にするライン引き補助装置を実現することができる。また本発明によれば、等幅線の線条を、正確かつ能率良く描くことができるようになり、特に線条でも曲線を容易に引くことができるという効果を奏する。
【発明を実施するための最良の形態】
【００１４】
以下図示の例を参照して、本発明をより詳細に説明する。図の本体１１は細長い帯板状の複数部分１２をヒンジ１３により結合し、折り畳み、伸展可能な構成としたもので（図２）、伸展時には、通常のトラックコースの全幅に渡る全長を有する。
【００１５】
本体１１を構成する複数部分１２同士のヒンジ結合部には、伸展時本体上辺に嵌まり込んで、隣接する複数部分１２を一直線状に保つ補助具１４がスライド可能に取り付けられている。補助具１４は逆Ｕ字形のアルミニウム製チャンネル材によって形成されており、側面にスリット１５を有し、そこから本体１１へ止めねじ１６が取り付けられていて（図３参照）、止めねじ１６を緩めることにより補助具１４を結合部からずらせて折り畳み得るように構成されている。ヒンジ結合部には、伸展時に一直線状を保つ掛止具１７、１８が設けられている。
【００１６】
本体１１には、グラウンド等の対象面Ｇに引っ掻き傷のような線条を刻み付ける描線部２０が所定幅毎に設けられている。例示の描線部２０は、金属製の棒材２１と、それを上下動可能に保持した保持具２２とから成り、保持具２２は、ボルト止めにより本体に取り付けられている。２３はそのボルト、２４はナットを示す。さらに棒材２１には先端を対象面Ｇに押し付けるための付勢ばね２５が設けられている。例示した付勢ばね２５は棒材２１のストッパー２６と保持具２２との間に組み込まれている。
【００１７】
例示の本体１１には、トラックコースの所定幅をあらわす表示として、８０ｃｍを基準としたものと、１００ｃｍを基準としたものの２種類の数字表示２７−１、２７−２が設けられている。さらに、コース幅の相違を示す２種類の色分け表示２８−１、２８−２が設けられている。そしてこの色分け表示２８−１、２８−２は、同時に描線部２０のボルト止め位置を示しており、そこにボルト通し穴２９−１、２９−２が設けられている（図６参照）。
【００１８】
本体１１の移動手段である車輪として、本実施例の場合には、本体部分１２の下辺を嵌め込む溝３１を持つ台車３０が組み合わされている。例示の台車３０は２個のキャスター輪３２を有しており、本体１１の両端に取り付けられるので、本発明の装置１０は４輪構造となる。
【００１９】
本体１１には、さらに、本体１１を移動させる操作用具や紐類の取り付け部３３、３６が設けられている。本実施例では操作用具３４としてロープが使用されているので、取り付け部３３、３６は紐類を差し込める貫通した穴である。なお、操作用具３４のほか延伸用具３５にもロープを使用しており、本体１１の端部の取り付け部３６に差し込んで取り付けられる。延伸用具３５のロープには、例えばインコースにおける曲線部が何メートルになるかを示す等の表示を設けることができる。
【００２０】
本発明のライン引き補助装置１０を用いて、ラインを引く場合、延伸用具の一方３５−１を曲線部の中心に予め設置した中心部材（図示省略）に取り付け、延伸用具の他の一方３５−２を半径方向外方へ引っ張り、本体１１が中心部材から伸びる半径方向の直線の一部をなすようにする。この状態で操作用具３４を引っ張ることにより、描線部２０の棒材２１により対象面Ｇに一定半径の曲線から成る等幅の線条を形成することができる。また延伸用具３５を結び付けることなく、ライン引き補助装置１０をコースラインと平行に移動させることにより、等幅の直線を対象面Ｇに形成することができる。
【００２１】
コース幅を変更する場合には、描線部２０を、一方のボルト通し穴２９−１から取り外し、他方のボルト通し穴２９−２に付け変えれば良く、その際に数字表示２７−１、２７−２とともに色分け表示２８−１、２８−２が利用できるので誤用のおそれが少ない。使用後は折り畳むことができるがその際は止めねじ１６を緩めて補助具１４をスライドさせるだけでヒンジ１３部分にて折り畳みが可能となり、取り扱いが容易である。
【図面の簡単な説明】
【００２２】
【図１】本発明に係るライン引き補助装置の使用状態を示す斜視図。
【図２】図１のものの折り畳み状態を示す斜視図。
【図３】補助具の例を示す斜視図。
【図４】ヒンジ部の例を示す斜視図。
【図５】描線部の例を示す斜視図。
【図６】表示部の例を示す斜視図。
【符号の説明】
【００２３】
１０  ライン引き補助装置
１１  本体
１２  複数の本体部分
１３  ヒンジ
１４  補助具
２０  描線部
２１  棒材
２５  付勢ばね
２７  数字表示
２８  色分け表示
２９  ボルト通し穴
３０  台車
３２  キャスター輪
３３、３６  取り付け部
３４  操作用具
３５  延伸用具
【図１】
2005152135.tif 000003
【図２】
2005152135.tif 000004
【図３】
2005152135.tif 000005
【図４】
2005152135.tif 000006
【図５】
2005152135.tif 000007
【図６】
2005152135.tif 000008